(57)【要約】【課題】シート状ＥＬ素子の固定力が強く、取り付け作業が簡単で、複数枚のシート状ＥＬ素子を取り付けることもできるＥＬ発光装置を提供する。【解決手段】ＥＬ発光装置１は、ＥＬ発光シート２が前面に固定される被刺通性を備えた絶縁性ボード４と、その後面に設けられた導電性と被刺通性を備えた出力端子６と、出力端子に接続された駆動回路と、ＥＬ発光シートの電極３と絶縁性ボードと出力端子を貫通することによりＥＬ発光シートを絶縁性ボードの前面に固定し、同時にＥＬ発光シートの電極３と出力端子６を導通させる尖形の導電部材１０を有している。【選択図】図１
2009152066.tif 000002
【特許請求の範囲】
【請求項１】
電極を有するＥＬ発光シートを固定して発光させるためのＥＬ発光装置において、
前記ＥＬ発光シートが前面に固定される被刺通性を備えた絶縁性ボードと、
前記絶縁性ボードの後面に設けられた導電性と被刺通性を備えた出力端子と、
前記出力端子に接続された駆動回路と、
前記絶縁性ボードの前面に配置された前記ＥＬ発光シートの前記電極と前記絶縁性ボードと前記出力端子を貫通することにより、前記ＥＬ発光シートを前記絶縁性ボードの前面の所望の位置に固定するとともに前記ＥＬ発光シートの前記電極と前記出力端子を導通させる尖形の導電部材と、
を有することを特徴とするＥＬ発光装置。
【請求項２】
前記ＥＬ発光装置の前記出力端子は一対の出力端子で構成されているとともに、前記導電部材が貫通しない絶縁性の分離部材によって分離されており、前記ＥＬ発光シートの前記電極は一対の前記出力端子に対応するように一対の電極で構成されていることを特徴とする請求項１記載のＥＬ発光装置。
【請求項３】
被刺通性を備えた絶縁性ボードと、
前記絶縁性ボードの後面に設けられ、導電性と被刺通性を備えてピッチＬで互いに組み合わされた櫛歯状の一対の出力端子と、
前記出力端子に接続された駆動回路と、
前記絶縁性ボードの前面に配置され、一対の前記出力端子に対応するように（２ｎ＋１）Ｌの間隔で配置された一対の電極を有するＥＬ発光シートと、
前記絶縁性ボードの前面に配置された前記ＥＬ発光シートの一対の前記電極と前記絶縁性ボードと一対の前記出力端子を貫通することにより、前記ＥＬ発光シートを前記絶縁性ボードの前面の所望の位置に固定するとともに前記ＥＬ発光シートの前記電極と前記出力端子を導通させる尖形の導電部材と、
を有することを特徴とするＥＬ発光装置。
【請求項４】
電極を有するＥＬ発光シートを固定して発光させるためのＥＬ発光装置において、
被刺通性を備え１枚は最前面に配置された複数の絶縁性ボードと、
導電性と被刺通性を備え厚さ方向について前記絶縁性ボードと交互に重ねて配置された複数の出力端子と、
前記各出力端子に接続されて前記各出力端子に周期の異なる駆動信号を与える駆動回路と、
前記最前面の絶縁性ボードの前面に配置された前記ＥＬ発光シートの前記電極と前記絶縁性ボードと前記出力端子を貫通することにより、前記ＥＬ発光シートを前記絶縁性ボードの前面の所望の位置に固定するとともに前記ＥＬ発光シートの前記電極と所望の前記出力端子のみを導通させる尖形の導電部材と、
を有することを特徴とするＥＬ発光装置。
【請求項５】
前記ＥＬ発光装置の前記各出力端子はそれぞれ一対の出力端子で構成されており、少なくとも最前面に配置された一対の前記出力端子は前記導電部材が貫通しない絶縁性の分離部材によって分離されており、前記ＥＬ発光シートの前記電極は一対の前記出力端子に対応するように一対の電極で構成されていることを特徴とする請求項４記載のＥＬ発光装置。
【請求項６】
前記導電部材は、絶縁性のつまみと、前記つまみに取り付けられて前記ＥＬ発光シートの前記電極と前記絶縁性ボードと前記出力端子を貫通するとともに先端部で接触する前記出力端子のみに導通する導伝材料からなるピンと、を具備することを特徴とする請求項４又は５に記載のＥＬ発光装置。
【請求項７】
電極を有する被給電体に給電するための給電装置において、
被刺通性を備えた絶縁性ボードと、
前記絶縁性ボードの後面に設けられた導電性と被刺通性を備えた出力端子と、
前記出力端子に接続された駆動回路と、
前記絶縁性ボードの前面に配置された前記被給電体の前記電極と前記絶縁性ボードと前記出力端子を貫通することにより、前記被給電体の前記電極と前記出力端子を導通させる尖形の導電部材と、
を有することを特徴とする給電装置。
【請求項８】
被刺通性を備えた絶縁性ボードの後面に導電性と被刺通性を備え駆動回路に接続された出力端子が設けられてなる給電装置を用いて、電極を有する被給電体に給電するための給電方法において、
前記絶縁性ボードの前面に配置した前記被給電体の前記電極と前記絶縁性ボードと前記出力端子を、尖形の導電部材によって貫通することにより、前記被給電体の前記電極と前記出力端子を前記導電部材を介して導通させることを特徴とする給電方法。
【発明の詳細な説明】
【技術分野】
【０００１】
本発明は、被給電体をボードにピンで固定することにより当該被給電体をボードに取り付け、同時にこのピンを介して給電することにより当該被給電体を発光させる給電装置と、該給電装置を用いた給電方法に関するものである。本発明は、さらに、このような給電装置及び給電方法を一層具体化した発明を提案するものであり、ＥＬ発光シートをボードにピンで固定することにより当該ＥＬ発光シートを掲示し、同時にこのピンを介して給電することにより当該ＥＬ発光シートを発光させるＥＬ発光装置に関するものである。
【背景技術】
【０００２】
エレクトロルミネッセンス発光素子（以下、ＥＬ発光素子と略称する。）は薄いシート状に構成できるので狭い場所にも設置でき、このため広告媒体その他の表示手段として有用と考えられている。ところが、シート状ＥＬ素子は薄型であり、それ自体は自立性を有していないため、これを所定状態に展示し、給電して表示を行わせるための表示装置が必要になる。
【０００３】
下記特許文献１は、自立性のないシート状ＥＬ素子を所望の位置に容易に展示し、同時に表示のための給電も容易に行えるＥＬ発光装置を開示している。このＥＬ発光装置においては、本体と上部カバーがクリップのようにヒンジで連結されて開閉可能とされ、ばねで閉止方向に付勢されている。本体の上面の出力端子は内部の電源及び駆動回路に接続されている。本体と上部カバーの隙間にシート状ＥＬ発光素子の電極の部分を挟んで閉じれば、シート状ＥＬ発光素子が保持され、出力端子と電極が接触導通する。着脱可能な固定手段により本体を所望位置に取り付け、電源スイッチをＯＮとすれば、シート状ＥＬ発光素子を所望の位置に展示して発光表示させることができるものとされている。
【特許文献１】実用新案登録第３１３１６５８号公報
【発明の開示】
【発明が解決しようとする課題】
【０００４】
しかしながら、前記特許文献１に記載のＥＬ発光装置によれば、前述したシート状ＥＬ素子を挟んで保持するクリップ型であるために次のような問題があった。
まず、固定力が必ずしも十分でなく、このＥＬ発光装置に保持されたシート状ＥＬ素子をクリップの挟持方向と直交する面方向に引けば比較的容易にＥＬ発光装置から外れてしまうことがあるという問題があった。
【０００５】
また、シート状ＥＬ素子の電極と、ＥＬ発光装置の電極を正確に位置合せして挟まなければ給電することができず、取り付け作業が煩雑であるという問題があった。
【０００６】
また、共通のＥＬ発光装置によって複数枚のシート状ＥＬ素子を取り付けることができず、複数枚のシート状ＥＬ素子を重ねた状態で又は重ならない状態で取り付けることができないという問題があった。
【０００７】
また、取り付けたシート状ＥＬ素子に与える駆動信号の周期を簡易な構成で任意に選択して発光周期を自由に設定することができなかった。
【０００８】
本発明は、上述した課題を解決するものであり、シート状ＥＬ素子の固定力が強く、取り付け作業が簡単であり、複数枚のシート状ＥＬ素子を取り付けることもでき、さらに取り付けたシート状ＥＬ素子に与える駆動信号の周期を簡易な構成で任意に選択して発光周期を自由に設定することができるＥＬ発光装置を提供することを目的としている。
【０００９】
本発明は、さらに上記目的を一般化し、被給電体をボードに容易に取り付けることができると共に、この取り付けによって被給電体に給電する構成をとることができる給電装置と給電方法を提供することをさらなる目的としている。
【課題を解決するための手段】
【００１０】
請求項１に記載されたＥＬ発光装置は、
電極を有するＥＬ発光シートを固定して発光させるためのＥＬ発光装置において、
前記ＥＬ発光シートが前面に固定される被刺通性を備えた絶縁性ボードと、
前記絶縁性ボードの後面に設けられた導電性と被刺通性を備えた出力端子と、
前記出力端子に接続された駆動回路と、
前記絶縁性ボードの前面に配置された前記ＥＬ発光シートの前記電極と前記絶縁性ボードと前記出力端子を貫通することにより、前記ＥＬ発光シートを前記絶縁性ボードの前面の所望の位置に固定するとともに前記ＥＬ発光シートの前記電極と前記出力端子を導通させる尖形の導電部材と、
を有することを特徴としている。
【００１１】
請求項２に記載されたＥＬ発光装置は、請求項１記載のＥＬ発光装置において、
前記ＥＬ発光装置の前記出力端子は一対の出力端子で構成されているとともに、前記導電部材が貫通しない絶縁性の分離部材によって分離されており、前記ＥＬ発光シートの前記電極は一対の前記出力端子に対応するように一対の電極で構成されていることを特徴としている。
【００１２】
請求項３に記載されたＥＬ発光装置は、
被刺通性を備えた絶縁性ボードと、
前記絶縁性ボードの後面に設けられ、導電性と被刺通性を備えてピッチＬで互いに組み合わされた櫛歯状の一対の出力端子と、
前記出力端子に接続された駆動回路と、
前記絶縁性ボードの前面に配置され、一対の前記出力端子に対応するように（２ｎ＋１）Ｌの間隔で配置された一対の電極を有するＥＬ発光シートと、
前記絶縁性ボードの前面に配置された前記ＥＬ発光シートの一対の前記電極と前記絶縁性ボードと一対の前記出力端子を貫通することにより、前記ＥＬ発光シートを前記絶縁性ボードの前面の所望の位置に固定するとともに前記ＥＬ発光シートの前記電極と前記出力端子を導通させる尖形の導電部材と、
を有することを特徴としている。
【００１３】
請求項４に記載されたＥＬ発光装置は、
電極を有するＥＬ発光シートを固定して発光させるためのＥＬ発光装置において、
被刺通性を備え１枚は最前面に配置された複数の絶縁性ボードと、
導電性と被刺通性を備え厚さ方向について前記絶縁性ボードと交互に重ねて配置された複数の出力端子と、
前記各出力端子に接続されて前記各出力端子に周期の異なる駆動信号を与える駆動回路と、
前記最前面の絶縁性ボードの前面に配置された前記ＥＬ発光シートの前記電極と前記絶縁性ボードと前記出力端子を貫通することにより、前記ＥＬ発光シートを前記絶縁性ボードの前面の所望の位置に固定するとともに前記ＥＬ発光シートの前記電極と所望の前記出力端子のみを導通させる尖形の導電部材と、
を有することを特徴としている。
【００１４】
請求項５に記載されたＥＬ発光装置は、請求項４記載のＥＬ発光装置において、
前記ＥＬ発光装置の前記各出力端子はそれぞれ一対の出力端子で構成されており、少なくとも最前面に配置された一対の前記出力端子は前記導電部材が貫通しない絶縁性の分離部材によって分離されており、前記ＥＬ発光シートの前記電極は一対の前記出力端子に対応するように一対の電極で構成されていることを特徴としている。
【００１５】
請求項６に記載されたＥＬ発光装置は、請求項４又は５に記載のＥＬ発光装置において、
前記導電部材は、絶縁性のつまみと、前記つまみに取り付けられて前記ＥＬ発光シートの前記電極と前記絶縁性ボードと前記出力端子を貫通するとともに先端部で接触する前記出力端子のみに導通する導伝材料からなるピンと、を具備することを特徴としている。
【００１６】
請求項７に記載された給電装置は、
電極を有する被給電体に給電するための給電装置において、
被刺通性を備えた絶縁性ボードと、
前記絶縁性ボードの後面に設けられた導電性と被刺通性を備えた出力端子と、
前記出力端子に接続された駆動回路と、
前記絶縁性ボードの前面に配置された前記被給電体の前記電極と前記絶縁性ボードと前記出力端子を貫通することにより、前記被給電体の前記電極と前記出力端子を導通させる尖形の導電部材と、
を有することを特徴としている。
【００１７】
請求項８に記載された給電方法は、
被刺通性を備えた絶縁性ボードの後面に導電性と被刺通性を備え駆動回路に接続された出力端子が設けられてなる給電装置を用いて、電極を有する被給電体に給電するための給電方法において、
前記絶縁性ボードの前面に配置した前記被給電体の前記電極と前記絶縁性ボードと前記出力端子を、尖形の導電部材によって貫通することにより、前記被給電体の前記電極と前記出力端子を前記導電部材を介して導通させることを特徴としている。
【発明の効果】
【００１８】
請求項１に記載されたＥＬ発光装置によれば、絶縁性ボードの前面の所望の位置にＥＬ発光シートを配置し、導電部材でＥＬ発光シートの電極を貫通して絶縁性ボードを刺し、さらに絶縁性ボードを貫通して下にある出力端子に刺通する。これによって、ＥＬ発光シートを絶縁性ボードの前面の所望の位置に固定でき、同時にＥＬ発光シートの電極と出力端子を導通させることができるので、駆動回路から出力端子に駆動信号を与えることによってＥＬ発光装置の絶縁性ボードに掲示したＥＬ発光シートを発光駆動することができる。
【００１９】
請求項２に記載されたＥＬ発光装置によれば、請求項１記載のＥＬ発光装置における効果において、ＥＬ発光装置の一対の出力端子が、導電部材では貫通できない硬質の絶縁性の分離部材で分離されているので、使用者は導電部材が刺さらない場合はＥＬ発光シートの電極とＥＬ発光装置の出力端子の位置がずれていることに容易に気付くことができ、ＥＬ発光シートの一対の電極とＥＬ発光装置の一対の出力端子を互いに対応させて接続することができる。
【００２０】
請求項３に記載されたＥＬ発光装置によれば、その櫛歯状の一対の出力端子のピッチＬに対し、これに取り付けるＥＬ発光シートの一対の電極の間隔が（２ｎ＋１）Ｌとなっているので、絶縁性ボードの前面の所望の位置にＥＬ発光シートを配置し、導電部材でＥＬ発光シートの電極を貫通して絶縁性ボードを刺し、さらに絶縁性ボードを貫通して下にある出力端子に刺通することによってＥＬ発光シートをＥＬ発光装置に固定すれば、ＥＬ発光装置の一対の出力端子と、ＥＬ発光シートの一対の電極は必ず対応して導通される。
【００２１】
請求項４に記載されたＥＬ発光装置によれば、最前面を絶縁性ボードとして複数の絶縁性ボードと複数の出力端子とが重ねられているので、複数種類の導電部材から適当なものを選択してＥＬ発光シートの固定に使用すれば、ＥＬ発光シートの電極を、所望の周期の駆動信号を与える所望の出力端子に選択的に接続導通させることができ、当該ＥＬ発光シートを所望の周期で発光駆動することができる。
【００２２】
請求項５に記載されたＥＬ発光装置によれば、請求項４記載のＥＬ発光装置における効果において、ＥＬ発光装置の一対の出力端子が、導電部材では貫通できない硬質の絶縁性の分離部材で分離されているので、使用者は導電部材が刺さらない場合はＥＬ発光シートの電極とＥＬ発光装置の出力端子の位置がずれていることに容易に気付くことができ、ＥＬ発光シートの一対の電極とＥＬ発光装置の一対の出力端子を互いに対応させて接続することができる。
【００２３】
請求項６に記載されたＥＬ発光装置によれば、請求項４又は５に記載のＥＬ発光装置における効果において、絶縁性のつまみを指で摘んでピンをＥＬ発光シートの電極に刺してＥＬ発光装置に取り付ければ、安全である。また、導電部材のピンは、導伝材料から構成されるとともに、先端部以外を例えば絶縁材料で覆う等の手段により貫通している出力端子に導通させないようにしているので、先端部で接触する出力端子にのみ導通して必要な周期の駆動信号のみをＥＬ発光シートに供給することができる。
【００２４】
請求項７に記載された給電装置又は請求項８に記載された給電方法によれば、絶縁性ボードの前面の所望の位置に被給電体を配置し、導電部材で被給電体の電極を貫通して絶縁性ボードを刺し、さらに絶縁性ボードを貫通して下にある出力端子に刺通する。これによって、被給電体を絶縁性ボードの前面の所望の位置に固定でき、同時に被給電体の電極と出力端子を導通させることができるので、駆動回路から出力端子に駆動信号を与えることによって、給電装置の絶縁性ボードに取り付けた被給電体を発光駆動することができる。
【発明を実施するための最良の形態】
【００２５】
以下、本発明を実施するために特許出願人が出願時点で最良と思う本発明の実施の形態を図１〜図１１を参照して説明する。
図１〜図３は第１実施形態の図であり、図１は第１実施形態のＥＬ発光装置の斜視図、図２は第１実施形態のＥＬ発光装置の断面図、図３は第１実施形態のＥＬ発光装置の使用状態を示す斜視図である。
図４〜図７は第２実施形態の図であり、図４は第２実施形態のＥＬ発光装置の斜視図、図５は第２実施形態のＥＬ発光装置の断面図、図６は第２実施形態のＥＬ発光装置の出力端子とＥＬ発光シートの電極のピッチの関係を示す図、図７は第２実施形態のＥＬ発光装置の使用状態を示す斜視図である。
図８〜図１１は第３実施形態の図であり、図８は第３実施形態のＥＬ発光装置の拡散分解斜視図、図９は第３実施形態のＥＬ発光装置の断面図、図１０は第３実施形態のＥＬ発光装置の導電部材の正面図、図１１は第３実施形態のＥＬ発光装置の駆動信号波形を例示する波形図である。
【００２６】
１．第１実施形態（第１例、図１〜図３）
本例は、ＥＬ発光シートを所望の位置に容易に着脱でき、かつ同時に給電が可能なＥＬ発光装置を提供するものである。具体的には、ＥＬ発光シートを絶縁性ボードに画鋲のような導電部材を用いて固定し、同時にＥＬ発光シートの電極と絶縁性ボードの背面側に配置した出力端子を前記導電部材を介して接触させることで給電することを特徴とする。なお、出力端子には導電性ゴムや導電性ウレタンフォーム等、導電性と被刺通性を備えた素材を使用する。さらに、一対の出力端子を左右に配置し、その中央には誤接続防止用の硬質な絶縁性の分離部材を配置する構造としている。
【００２７】
図１及び図２に示す本例のＥＬ発光装置１は、電極３を有するＥＬ発光シート２を固定して発光させるための装置であり、まず、ＥＬ発光シート２が前面に固定される被刺通性を備えた例えばコルク等の絶縁材料からなる絶縁性ボード４を有している。絶縁性ボード４は、全体として横長矩形の板材であり、その左右が被刺通性を備えた絶縁性材料からなり、その中央は、画鋲状の導電部材が貫通しない例えばプラスチックなどの材料からなる硬質で絶縁性の分離部材５で構成されている。
【００２８】
この絶縁性ボード４の後面には、導電性ゴムや導電性ウレタンフォーム等のような導電性と被刺通性を備えた素材からなる一対の出力端子６が設けられている。各出力端子６は矩形の板状であり、各出力端子６には図示しない駆動回路が接続されて所定の周期で交流駆動されるようになっている。図１に示すように、本例では一対の出力端子６，６は、絶縁性ボード４の中央に配置された絶縁性の分離部材５によって左右の異なる各位置に配置されており、ＥＬ発光シート２を取り付ける際、ＥＬ発光シート２の一対の電極３，３が対応するように構成されている。
そして、絶縁性ボード４、分離部材５及び出力端子６の後面側は絶縁性の背面板７で覆われている。
【００２９】
図１及び図２に示すように、前記ＥＬ発光装置１の絶縁性ボード４の前面には、ＥＬ発光シート２が取り付けられる。ＥＬ発光シート２は、絶縁材料からなるシート状の基材と、基材の上に形成された背面電極８と、背面電極の上に設けられた絶縁層と、絶縁層の上に設けられた所望の発光パターンに形成された発光層と、発光層の上に設けられた透明電極とによって構成される積層構造のシート状のＥＬ発光素子をシート状の封止部材によって気密状態に封止したものであり、背面電極８を構成する一対の櫛歯状電極に導通した一対の電極３が表面に露出して設けられている。
【００３０】
図２に示すように、本例のＥＬ発光装置１は、画鋲状の尖形の導電部材１０を有している。導電部材１０は、ＥＬ発光装置１の絶縁性ボード４の前面にＥＬ発光シート２を取り付けるとともに、ＥＬ発光装置１の出力端子６とＥＬ発光シート２の電極３を導通させるための部材である。この導電部材１０は、絶縁性のつまみ１１と、つまみに取り付けられた導伝材料からなる尖ったピン１２と、ピン１２の付け根に接するつまみ１１の底面側に設けられ、つまみ１１の底面の外形よりも小さい導電性の接触部材１３とを有している。ピン１２の長さは、絶縁性ボード４の厚さと出力端子６の厚さの合計よりも大きく、背面板７を突き抜けない程度とされている。接触部材１３は、ＥＬ発光シート２とＥＬ発光装置１の電気的接続の安定化のために設けられている。
【００３１】
図１乃至図３に示すように、ＥＬ発光装置１の絶縁性ボード４の前面にＥＬ発光シート２を取り付けるには、絶縁性ボード４の前面の所望の位置にＥＬ発光シート２を配置し、導電部材１０のつまみ１１を持ってピン１２でＥＬ発光シート２の電極３を貫通し、さらに絶縁性ボード４に突き刺して貫通し、その下にある出力端子６に刺通する。これによって、ＥＬ発光シート２を絶縁性ボード４の前面の所望の位置に固定すると同時に、ＥＬ発光シート２の電極３と出力端子６を導通させることができる。駆動回路が交流電圧による駆動信号を出力端子６に与えれば、導電部材１０のピン１２を介してＥＬ発光装置１の電極３に駆動信号を与えることができ、ＥＬ発光装置１の絶縁性ボード４に掲示したＥＬ発光シート２を発光駆動することができる。
【００３２】
本例によれば、ＥＬ発光装置１の一対の出力端子６，６が、導電部材１０では貫通できない硬質の絶縁性の分離部材５で分離された左右の両位置に配置されているので、使用者が絶縁性ボード４の前面にＥＬ発光シート２を導電部材１０で止めようとしたが、導電部材１０が分離部材５に当たって刺さらない場合は、ＥＬ発光シート２の電極３が、ＥＬ発光装置１の出力端子６の位置からずれていることに容易に気付くことができ、ＥＬ発光シート２の一対の電極３，３とＥＬ発光装置１の一対の出力端子６，６を互いに対応させた正規の状態に合せて接続することができる。
【００３３】
以上説明したように、本例のＥＬ発光装置１によれば、次のような効果が得られる。
絶縁性ボード４に画鋲状の導電部材１０を刺すだけでＥＬ発光シート２を容易に固定し、発光させることができる。
【００３４】
特に短期間で表示内容が変わる広告用途のディスプレイ等、ＥＬ発光シート２を繰返し交換させるような場合の作業が誰でも容易に行える。
【００３５】
ＥＬ発光シート２側にリード線、コネクタ等の配線、はんだ付け作業等が不要となり、導電材料として安価なカーボン等をそのまま使うことができる。
【００３６】
装置の構造が簡便であり、生産性も高い。
【００３７】
ＥＬ発光シート２を絶縁性ボード４の任意の位置に自在に配置、固定できるため、ディスプレイとしての設置自由度が高い。
【００３８】
無機ＥＬの発光には一般に数百ボルトという高い電圧が印加されるが、画鋲状の導電部材１０には絶縁性のつまみ１１が設けられ、直接電極３へ触れることのない安全な構造となっているため、感電を未然に防止することができる。"                         
【００３９】
２．第２実施形態（第２例、図４〜図７）
図４及び図５に示す本例のＥＬ発光装置１ａは、第１例と同様の基本構造を有しており、第１例と同様乃至対応する機能を備えた構成については、図４及び図５において図１乃至図３と同一の符号を付し、第１例の説明を援用して第２例としての説明は適宜省略する。
【００４０】
図４及び図６に示すように、本例では、一対の出力端子６，６はそれぞれ櫛歯状に形成されており、互いに櫛歯が一定の間隔をおいて接するように組み合わせた位置関係で配置されている。図６に示すように、組み合わせた状態における出力端子６の隣接する櫛歯のピッチをＬとした時、ＥＬ発光シート２の電極３の間隔は（２ｎ＋１）Ｌ（又は（２ｎ−１）Ｌでもよい）となっている。従って図７に示すように、ＥＬ発光シート２を、ＥＬ発光装置１ａの絶縁性ボード４上の左右方向に関する任意の位置に固定しても、必ずＥＬ発光シート２の各電極３，３と、ＥＬ発光装置１ａの各出力端子６，６の位置関係は適切になる。
【００４１】
本例のＥＬ発光装置１ａによれば、第１例と同様の効果が得られる他、さらに、ユーザが絶縁性ボード４の背面にある出力端子６の位置を気にすることなく、任意の位置にＥＬ発光シート２を配置・固定することができるという効果が得られる。
【００４２】
３．第３実施形態（第２例、図８〜図１１）
図８及び図９に示す本例のＥＬ発光装置１ｂは、第１例と同様の基本構造を有しており、第１例と同様乃至対応する機能を備えた構成については、図８及び図９において図１乃至図３と同一の符号を付し、第１例の説明を援用して第２例としての説明は適宜省略する。
【００４３】
図８及び図９に示すように、本例のＥＬ発光装置１ｂは、第１例の基本構造を有するＥＬ発光装置１ｂにおいて、複数の絶縁性ボード４と複数の出力端子６を、最前面と最後面を絶縁性ボード４として１枚ずつ交互に重ねた積層構造としたものであり、図示の例では２種の出力端子６を３枚の絶縁性ボード４で挟んだ構成となっている。
【００４４】
図９及び図１０に示すように、本例で使用される  画鋲状の尖形の導電部材１０は、厚さ方向の位置が異なる２種類の出力端子６に合わせて、長さの異なる２種類が用意されている。いずれも、最前面の絶縁性ボード４の前面に配置されたＥＬ発光シート２の電極３と、１枚又は２枚の絶縁性ボード４と、１枚又は２枚の出力端子６を貫通することにより、ＥＬ発光シート２を絶縁性ボード４の前面の所望の位置に固定するとともに、ＥＬ発光シート２の電極３と所望の出力端子６のみを導通させるための部材である。
【００４５】
短い方の導電部材１０ａのピン１２ａの長さは、図９に示すように、つまみ１１の根元まで突き刺した状態において、先端が前から２枚目の絶縁性ボード４に突き刺さるが貫通はしない程度に設定されている。また、長い方の導電部材１０ｂのピン１２ｂの長さは、図９に示すように、つまみ１１の根元まで突き刺した状態において、先端が前から３枚目の絶縁性ボード４に突き刺さるが貫通はしない程度に設定されている。そして、長い方の導電部材１０ｂのピン１２ｂには、前から１枚目の出力端子６に接触する部分の周面に、電気的接触を防ぐための絶縁部１４が設けられている。
【００４６】
従って、図９に示すように、短い方の導電部材１０ａでＥＬ発光シート２をＥＬ発光装置１に固定すれば、前方側の出力端子６が導電部材１０ａを介してＥＬ発光シート２に接続される。また、長い方の導電部材１０ｂでＥＬ発光シート２をＥＬ発光装置１に固定すれば、後方側の出力端子６が導電部材１０ｂを介してＥＬ発光シート２に接続される。この場合、前方側の出力端子６を貫通している導電部材１０ｂのピン１２ｂには絶縁部１４が設けられているので、前方側の出力端子６とこの導電部材１０ｂは導通せず、前方側の出力端子６がＥＬ発光シート２に接続されることはない。
【００４７】
そして、各出力端子６，６には、図示しない駆動回路によって図１１に示すような互いに周期の異なる駆動信号が与えるように構成されている。本例では、前方側の出力端子６にＡ周期の駆動信号が与えられ、後方側の出力端子６にＢ周期の駆動信号が与えられている。従って、短い方の導電部材１０ａで固定するか、長い方の導電部材１０ｂで固定するかによって、固定されたＥＬ発光シート２の発光周期が異なる。
【００４８】
なお、本例では、２つの出力端子６を３つの絶縁性ボード４で挟んだ構造としたが、もちろん３以上の出力端子６を４以上の絶縁性ボード４で挟んだ構造とし、駆動周期が異なる３種類の出力端子６に合わせて３種類の導電部材１０を用意してもよい。
【００４９】
このように、本例は、「発光周期調整画鋲」である２つの導電部材１０ａ，１０ｂから適当な長さの導電部材１０を選択し、これを用いてＥＬ発光シート２を絶縁性ボード４に固定することにより、絶縁性ボード４，４間に積層構造で配置された出力タイミングの異なる駆動信号が与えられた複数の出力端子６の中から特定の出力端子６を選択し、導電部材を介してＥＬ発光シート２に選択的に接触導通させて給電することができる。これにより、特定の「発光周期調整画鋲」で選択した出力端子６に応じた異なる周期でＥＬ発光シート２を発光させることが可能となる。
【００５０】
本例のＥＬ発光装置１ｂによれば、第１例と同様の効果が得られる他、さらに、周期の異なる駆動信号が与えられている複数の出力端子６と複数の絶縁性ボード４との積層構造をとることで、同一平面上に取り付けられた複数のＥＬ発光シート２を異なる周期で発光させる事ができるという効果が得られる。
【００５１】
以上各実施形態に基づいて説明したように、本発明のＥＬ発光装置１によれば、ＥＬ発光シートを挟んで給電する従来のクリップ型のＥＬ発光装置とは異なり、ピン１２で突き刺して止めるため固定力が十分であり、引っ張ったくらいでは外れない。
【００５２】
また、ＥＬ発光シート２の電極３とＥＬ発光装置１の電極３を正確に位置合せして取り付けなくても給電することができるので、頻繁に交換する広告媒体としてＥＬ発光シート２を用いる場合等に有利である。
【００５３】
また、共通のＥＬ発光装置１によって複数枚のＥＬ発光シート２を取り付けることが可能であり、さらに複数枚のＥＬ発光シート２を重ねた状態で又は重ならない状態で取り付けることができ、さらに取り付けたＥＬ発光シート２に与える駆動信号の周期を簡易な構成で任意に選択して発光周期を自由に設定することができるので、発光表示を多様化して視覚効果を高め、広告宣伝、情報周知等、発明を使用する種々の目的に応じた高い効果を挙げることができる。
【００５４】
以上説明した各実施形態は、ＥＬ発光シートを絶縁ボードにピン状の導電部材によって取り付けるとともに出力端子に電気的に接続し、ＥＬ発光シートに通電して発光させるＥＬ発光装置に関するものであったが、同様の原理・構成により、ＥＬ発光シート以外の被給電体（必ずしも発光を給電の目的とするものでなくてもよい）を取り付け、給電する給電装置として、前記ＥＬ発光装置と同様の構成の装置を用いることができる。
【図面の簡単な説明】
【００５５】
【図１】図１は第１実施形態のＥＬ発光装置の斜視図である。
【図２】図２は第１実施形態のＥＬ発光装置の断面図である。
【図３】図３は第１実施形態のＥＬ発光装置の使用状態を示す斜視図である。
【図４】図４は第２実施形態のＥＬ発光装置の斜視図である。
【図５】図５は第２実施形態のＥＬ発光装置の断面図である。
【図６】図６は第２実施形態のＥＬ発光装置の出力端子とＥＬ発光シートの電極３のピッチの関係を示す図である。
【図７】図７は第２実施形態のＥＬ発光装置の使用状態を示す斜視図である。
【図８】図８は第３実施形態のＥＬ発光装置の拡散分解斜視図である。
【図９】図９は第３実施形態のＥＬ発光装置の断面図である。
【図１０】図１０は第３実施形態のＥＬ発光装置の導電部材の正面図である。
【図１１】図１１は第３実施形態のＥＬ発光装置の駆動信号波形を例示する波形図である。
【符号の説明】
【００５６】
１，１ａ，１ｂ…ＥＬ発光装置
２…ＥＬ発光シート
３…電極
４…絶縁性ボード
５…分離部材
６…出力端子
７…背面板
８…透明電極
１０，１０ａ，１０ｂ…導電部材
１１…つまみ
１２，１２ａ，１２ｂ…ピン
１４…絶縁部
【図１】
2009152066.tif 000003
【図２】
2009152066.tif 000004
【図３】
2009152066.tif 000005
【図４】
2009152066.tif 000006
【図５】
2009152066.tif 000007
【図６】
2009152066.tif 000008
【図７】
2009152066.tif 000009
【図８】
2009152066.tif 000010
【図９】
2009152066.tif 000011
【図１０】
2009152066.tif 000012
【図１１】
2009152066.tif 000013